(57)【要約】【課題】通気抵抗を大きくすることなく、菌やカビの発生を抑制し、脱臭効果の大なるクリーン装置を提供する。【解決手段】室内機１０に内蔵された熱交換器１１の上流側に配され、前記熱交換器１１に可視光もしくは紫外線を照射する光発生ユニット１４と、前記光発生ユニット１４を往復移動させる左右駆動装置１５を備えたもので、光発生ユニット１４を移動させることで少ないランプで熱交換器１１の全域に光を照射して、菌やカビの発生を抑制し、脱臭効果を確実に発揮することができる。【選択図】図１
2005321128.tif 000002
【特許請求の範囲】
【請求項１】
空気調和機に内蔵された熱交換器の上流側に配され、前記熱交換器に可視光もしくは紫外線を照射する光発生ユニットと、前記光発生ユニットを往復移動させる駆動手段を備えたことを特徴とするクリーン装置。
【請求項２】
熱交換器に、光触媒処理を施したことを特徴とする請求項１に記載のクリーン装置。
【請求項３】
光発生ユニットを、熱交換器の上流側に配されたエアーフィルタの上流側に配したことを特徴とする請求項１又は２に記載のクリーン装置。
【請求項４】
空気調和機本体の運転開始時及び運転停止時に駆動手段を動作させて光発生ユニットを移動させるようにしたことを特徴とする請求項１〜３のいずれか１項に記載のクリーン装置。
【請求項５】
リモコンで駆動手段を遠隔操作するようにした請求項１〜４のいずれか１項に記載のクリーン装置。
【請求項６】
表面に光触媒処理を施した熱交換器と、前記熱交換器の上流側に配されたエアーフィルタと、前記エアーフィルタの上流側に配されると共に可視光もしくは紫外線を前記エアーフィルタ側に照射する光発生ユニットと、前記光発生ユニットを往復移動させる駆動手段を備えたことを特徴とする空気調和機。
【発明の詳細な説明】
【技術分野】
【０００１】
本発明は、熱交換器等に発生する菌やカビを抑え、脱臭機能を有するクリーン装置及び空気調和機に関するものである。
【背景技術】
【０００２】
従来の空気調和機等に搭載され熱交換器等に発生する菌やカビを抑えるクリーン装置として、室内機の内部に、光触媒フィルタと、その光触媒フィルタに紫外線を照射する紫外線ランプを設けて、脱臭効果を向上させて、居住者の快適性の用に供するものがある（例えば、特許文献１参照）。
【０００３】
一方、特許文献１においても課題として取り上げられているように、光触媒を用いて脱臭運転を続けているうちに、光触媒の性能が低下する欠点が生じていた。このため、定期的に紫外線を脱臭フィルタに照射し、光触媒を励起させ臭気成分を分解し、長期にわたり、脱臭機能を維持するようにしている。
【０００４】
即ち、光触媒に紫外線が当るとその表面から電子が飛び出し、抜けた穴は正孔（ホール）となり、プラスの電荷を帯び強い酸化力をもち、ＯＨ基をつくり有機物を二酸化炭素や水に分解してしまうことが知られている。
【０００５】
以上のように、空気調和機の室内機から臭いが放散され、ユーザに不快感を与えたりしないようにするために、室内機内の脱臭フィルタに紫外線ランプから紫外線を定期的に照射することにより、脱臭効果の低下を未然に防止している。
【０００６】
このように光触媒仕様の脱臭フィルタの効果を維持させるためには、定期的に紫外線を照射させることが必要である。
【特許文献１】特開平１０−２３８７９９号公報（図１等）
【発明の開示】
【発明が解決しようとする課題】
【０００７】
しかしながら、上記従来のクリーン装置では、次のような課題があった。
【０００８】
室内の臭気が室内機に吸い込まれ、通過する際に熱交換器やエアーフィルタに付着するのを少なくするためには、広い面積の脱臭フィルタを設けて、通過する空気の臭気を除去しなければならず、又、その広い脱臭フィルタに紫外線を照射するためには、等間隔に何本も紫外線ランプを設ける必要があるとともに、面積の広い脱臭フィルタを設けるために通風抵抗が増加し、冷・房暖房の性能が低下し、快適性が悪化するなどの課題があった。
【０００９】
また、複数の紫外線ランプを取り付けたり、それらの落下による割れ防止などに対する対策等の為に製造コストがアップしたり、室内機のサイズが大きくなるなどの課題があった。
【００１０】
更に、紫外線ランプの寿命にも課題があり、本数が増える程交換時の費用が高額になり、また、取り換え作業も非常に負担になるといった課題もあった。
【００１１】
本発明は、前記従来の課題を解決するもので、送風回路で通風抵抗を増加させることなく、少ないランプで、エアーフィルタや熱交換器の全域に光を照射して、菌やカビの発生を抑制し、確実に脱臭効果を発揮できるクリーン装置及び空気調和機を提供することを目的とする。
【課題を解決するための手段】
【００１２】
上記従来の課題を解決する為に、本発明のクリーン装置は、空気調和機に内蔵された熱交換器の上流側に配され、前記熱交換器に可視光もしくは紫外線を照射する光発生ユニットと、前記光発生ユニットを往復移動させる駆動手段を備えたもので、光発生ユニットを移動させることで、少ないランプで熱交換器の全域に光を照射して、菌やカビの発生を抑制し、確実に脱臭効果を発揮することができる。
【００１３】
また、本発明の空気調和機は、表面に光触媒処理を施した熱交換器と、前記熱交換器の上流側に配されたエアーフィルタと、前記エアーフィルタの上流側に配されると共に可視光もしくは紫外線を前記エアーフィルタ側に照射する光発生ユニットと、前記光発生ユニットを往復移動させる駆動手段を備えたもので、送風回路で通風抵抗を増加させることなく、少ないランプで、エアーフィルタや熱交換器の全域に光を照射して、菌やカビの発生を抑制し、確実に脱臭効果を発揮できる空気調和機を提供することができる。
【発明の効果】
【００１４】
本発明のクリーン装置は、送風回路で通風抵抗を増加させることなく、少ないランプで、エアーフィルタや熱交換器の全域に光を照射して、菌やカビの発生を抑制し、確実に脱臭効果を発揮することができる。
【発明を実施するための最良の形態】
【００１５】
第１の発明は、空気調和機に内蔵された熱交換器の上流側に配され、前記熱交換器に可視光もしくは紫外線を照射する光発生ユニットと、前記光発生ユニットを往復移動させる駆動手段を備えたもので、光発生ユニットを移動させることで、少ないランプで熱交換器の全域に光を照射して、菌やカビの発生を抑制し、確実に脱臭効果を発揮することができる。
【００１６】
第２の発明は、特に、第１の発明の熱交換器に、光触媒処理を施したもので、熱交換器の表面で脱臭処理が行なわれるので、従来の脱臭フィルタが不要になり、その分通風抵抗が軽減され、冷暖房の性能や快適性を向上させる事ができる。
【００１７】
第３の発明は、特に、第１又は第２の発明の光発生ユニットを、熱交換器の上流側に配されたエアーフィルタの上流側に配したもので、エアーフィルタにも光触媒処理を施しておけば、エアーフィルタに付着した臭いの分解も同時に行うことができ、脱臭効果を更に高めることができる。
【００１８】
第４の発明は、特に、第１〜３のいずれか１つの発明の光発生ユニットを、空気調和機本体の運転開始時及び運転停止時に駆動手段を動作させて移動させるようにしたもので、空気調和機の運転停止の都度、運転中にエアーフィルタに付着された臭いが分解されるので、次の運転開始時における臭いがさらに押さえられ、脱臭効果をより効果的に発揮することができる。
【００１９】
第５の発明は、特に、第１〜４のいずれか１つの発明の駆動手段をリモコンで遠隔操作するようにしたもので、使用者が、臭いレベルが高いと感じたら、リモコンを操作して駆動手段を運転し、光を熱交換器全面に照射して付着した臭いを分解し、運転を継続することができ、脱臭効果を十分に発揮することができる。
【００２０】
第６の発明は、表面に光触媒処理を施した熱交換器と、前記熱交換器の上流側に配されたエアーフィルタと、前記エアーフィルタの上流側に配されると共に可視光もしくは紫外線を前記エアーフィルタ側に照射する光発生ユニットと、前記光発生ユニットを往復移動させる駆動手段を備えたもので、送風回路で通風抵抗を増加させることなく、少ないランプで、エアーフィルタや熱交換器の全域に光を照射して、菌やカビの発生を抑制し、確実に脱臭効果を発揮できる空気調和機を提供することができる。
【００２１】
以下、本発明の実施の形態について、図面を参照しながら説明する。なお、この実施の形態によって本発明が限定されるものではない。
【００２２】
（実施の形態１）
本発明の第１の実施の形態におけるクリーン装置について、図１〜４を用いて説明する。
【００２３】
図１は、本発明の実施の形態１におけるクリーン装置を搭載した空気調和機の断面図、図２（ａ）は、同クリーン装置の斜視図、（ｂ）は、同クリーン装置の光発生ユニットの斜視図、（ｃ）は、同光発生ユニットの断面図、（ｄ）は、同空気調和機のエアーフィルタの部分拡大断面図、（ｅ）は、同空気調和機の熱交換器の側面図、（ｆ）は、同熱交換器の部分拡大断面図である。
【００２４】
図において、空気調和機の室内機１０は、熱交換器１１と、クロスフローファン１２と、ケーシング１３と、エアーフィルタ１６と、エアーフィルタ１６の外側（上流側）に配されたクリーン装置１７を備えている。
【００２５】
図に示すように、クリーン装置１７は、エアーフィルタ１６と熱交換器１１の両方に可視光もしくは紫外線等の光を照射する光発生ユニット１４と、光発生ユニット１４をエアーフィルタ１６の表面に沿って左右に移動させる駆動手段となる左右駆動装置１５から構成されている。
【００２６】
光発生ユニット１４は、光発生用ランプ２１と、エアーフィルタ１６と熱交換器１１の全面に光を照射できるように、外形が略Ｌ字形状で光発生用ランプ２１を拡散する反射板２２で構成されている。
【００２７】
熱交換器１１のアルミ素地３１には、酸化チタン等からなる光触媒層３３がコーティングされている。
【００２８】
また、エアーフィルタ１６を形成する樹脂３２にも光触媒層３３がコーティングされている。
【００２９】
図３は、クリーン装置の動作の流れを示すフローチャートである。
【００３０】
空気調和機のリモコン（図示せず）の運転ＳＷがＯＮされると、空気調和機の運転が開始するとほぼ同時に光発生用ランプ２１が点灯し、エアーフィルタ１６、熱交換器１１の全高に渡って光が照射される。そして、左右駆動装置１５によりクリーン装置１７が左右往復移動して、エアーフィルタ１６、熱交換器１１の全域に光が照射され、脱臭効果を発揮すると共に、運転停止ＳＷがＯＦＦされた場合も同様の動作を行うようにする。
【００３１】
また、運転の最中に部屋の臭いの発生量が大きく、脱臭効果が低下したとお客様が感じた場合に対応するため、リモコンに脱臭クリーン用のＳＷ（図示せず）を設けておき、そのＳＷが押された場合も同様の動作を行うようにしている。
【００３２】
図４は光（可視光、紫外線）の照射のイメージを表している。
【００３３】
なお、光発生用ランプ２１は寿命や、空気調和調機の荷扱いの問題（落下による割れなど）が考えられるため、光ＬＥＤで光発生ユニット１４を構成してもよい。
【００３４】
なお、上記実施の形態では、光発生ユニット１４で熱交換器１１の全高に渡って光を照射しながら、光発生ユニット１４を左右方向に移動させて、熱交換器１１の全域に渡って光を照射するようにしたが、光発生ユニット１４で熱交換器１１の全幅に渡って光を照射しながら、光発生ユニット１４を上下方向に移動させて、熱交換器１１の全域に渡って光を照射するようにしても良い。
【産業上の利用可能性】
【００３５】
以上のように本発明に係るクリーン装置は、送風回路で通風抵抗を増加させることなく、少ないランプで、エアーフィルタや熱交換器の全域に光を照射して、菌やカビの発生を抑制し、確実に脱臭効果を発揮することができるので、空気調和機に限らずフィルタを有する空気清浄機、換気装置、送風装置などの各種機器に適用できる。
【図面の簡単な説明】
【００３６】
【図１】本発明の実施の形態１におけるクリーン装置を搭載した空気調和機の断面図
【図２】（ａ）同クリーン装置の斜視図（ｂ）同クリーン装置の光発生ユニットの斜視図（ｃ）同光発生ユニットの断面図（ｄ）同空気調和機のエアーフィルタの部分拡大断面図（ｅ）同空気調和機の熱交換器の側面図（ｆ）同熱交換器の部分拡大断面図
【図３】同クリーン装置の動作の流れを示すフローチャート
【図４】同クリーン装置の光照射イメージ図
【符号の説明】
【００３７】
１０  室内機（空気調和機）
１１  熱交換器
１４  光発生ユニット
１５  左右駆動装置（駆動手段）
１６  エアーフィルタ
２１  光発生用ランプ
３３  光触媒層
【図１】
2005321128.tif 000003
【図２】
2005321128.tif 000004
【図３】
2005321128.tif 000005
【図４】
2005321128.tif 000006